(57)【要約】【課題】  種々の使用環境に使用でき、簡易、かつ安価に製造できるとともに、使用に際して安全かつ丈夫でさらに部品を紛失しにくい杖を提供することを課題とする。【解決手段】  本杖は、杖本体と、杖本体の一端に固定され先端に接地部を持つ軸部材と、軸部材に嵌合され軸部材の軸方向にスライド可能な可動部材と、可動部材を軸部材の軸方向に対して複数段に切り換え固定する固定手段とを備えている。【選択図】  図５
2005152458.tif 000002
【特許請求の範囲】
【請求項１】
杖本体と、該杖本体の一端に固定され先端に接地部を持つ軸部材と、該軸部材に嵌合され該軸部材の軸方向にスライド可能な可動部材と、該可動部材を該軸部材の軸方向に対して複数段に切り換え固定する固定手段とからなることを特徴とする杖。
【請求項２】
前記固定手段は、前記軸部材に設けられたピンと、前記可動部材に形成され該ピンに当接する複数段の切り欠きと、該切り欠きを該ピンに押圧する押圧手段とからなることを特徴とする請求項１記載の杖。
【請求項３】
前記押圧手段は前記軸部材と前記可動部の間に介在するバネであることを特徴とする請求項２記載の杖。
【請求項４】
請求項１乃至３のいずれか１項に記載の杖であって、前記軸部材の先端の接地部は鋭利な円錐状になっていることを特徴とする杖。
【発明の詳細な説明】
【技術分野】
【０００１】
本発明は、岩盤上や氷上を歩行するのに好適であるとともに、通常の地面を歩行するのにも好適な杖に関するものである。
【背景技術】
【０００２】
従来より、岩盤上や氷上を歩行する目的と通常の地面を歩行する目的の両方に役立つ杖が知られている（たとえば、特許文献１，２参照）。これらの杖は一本で岩盤上や氷上を歩行するための鋭利な岩盤用先端部分と通常の地面を歩くための樹脂あるいは硬質ゴムからなる丸みのある通常用先端部分とが選択的に切り換えられて使われるものである。
【０００３】
これらよく知られた杖は、先端に硬質ゴムからなる接地部をもつ杖本体と杖本体の接地部付近に回動自在に取り付けられたレバーとレバーの他端に取付けられた円錐状の岩盤用先端部分とからなるもので、レバーを回動させることにより、鋭利な岩盤用先端部分を硬質ゴムからなる通常用先端部分の直下に位置させるものである。また、岩盤用先端部分が通常は本体からはずれており、用途に応じて硬質ゴム等の通常用先端部分に嵌合装着されるものもよく知られている。
【０００４】
しかし、上記従来の杖では、岩盤用先端部分がレバーにより本体に取付けられているものの場合、通常の歩行中、岩盤用先端部分が本体外部にあるため危険であったり、また、レバーによる切り換えが複雑かつ壊れやすく、さらに高価であるといった欠点があった。また、岩盤用先端部分が通常、本体からはずれているものの場合、装着してもはずれやすくまた紛失しやすいといった欠点があった。
【０００５】
【特許文献１】特開２０００−３００３１７号公報
【特許文献２】特開２００２−１９９９１７号公報
【発明の開示】
【発明が解決しようとする課題】
【０００６】
以上により本発明は、上記現状に鑑みてなされたものであり、簡易、かつ安価に製造できるとともに、使用に際して安全かつ丈夫でさらに紛失しにくい杖を提供することを目的とする。
【課題を解決するための手段】
【０００７】
本発明は以下のとおりである。
［１］杖本体と、該杖本体の一端に固定され先端に接地部を持つ軸部材と、該軸部材に嵌合され該軸部材の軸方向にスライド可能な可動部材と、該可動部材を該軸部材の軸方向に対して複数段に切り換え固定する固定手段とからなることを特徴とする杖。
［２］前記固定手段は、前記軸部材に設けられたピンと、前記可動部材に形成され該ピンに当接する複数段の切り欠きと、該切り欠きを該ピンに押圧する押圧手段とからなることを特徴とする［１］記載の杖。
［３］前記押圧手段は前記軸部材と前記可動部の間に介在するバネであることを特徴とする［２］記載の杖。
［４］［１］乃至［３］のいずれか１項に記載の杖であって、前記軸部材の先端の接地部は鋭利な円錐状になっていることを特徴とする杖。
【発明の効果】
【０００８】
本発明によれば、杖本体と、杖本体の一端に固定され先端に接地部を持つ軸部材と、軸部材に嵌合され軸部材の軸方向にスライド可能な可動部材と、可動部材を軸部材の軸方向に対して複数段に切り換え固定する固定手段とからなるので、通常は鋭利な接地部が隠れているため、安全性に優れ、しかも構造が簡単なので、壊れにくく低コストで製造できる。また、分離した部品がないので、部品をなくす心配がない。
【発明を実施するための最良の形態】
【０００９】
本実施形態に係る杖の「杖本体」は、杖として機能するのに適している長さと強度をもつ限り、伸縮自在であるかどうか、また、材質は問わない。この杖本体は、通常、アルミニウム製の中空のパイプで、携帯に便利な様に伸縮自在な機構を持つが（特許文献１参照）、必ずしも中空である必要はない。また、一端にグリップをもつのが通常であるが、その形状、また、有無は特に問わない。
【００１０】
上記「軸部材」は、鋼製の丸棒で、地面に接地する接地部は鋭利な円錐状に形成されるのが通常であるが、材料強度さえあればとくにその材質は問わず、円錐部の大きさも問わない。また、この軸部材の杖本体への固定方法は、パイプ状の杖本体に嵌合するのが通常であるが、とくに固定方法はこれに限らない。
【００１１】
上記「可動部材」は、樹脂製、または、硬質ゴムからなる中空の円柱状であるが、通常の地面に滑らない材質であればとくにその材質は問わず、また、形状もとくに円柱である必要はない。
【００１２】
上記「固定手段」のピンは、軸部材に嵌合固定さえされていれば特にその長さは問わない。また、上記可動部材に形成される切り欠きは、軸部材の軸方向に複数段形成されていればよく、それ以外の形状の制限はない。ピンはこの切り欠きに当接し、可動部材の軸方向の動きを制限する。また、この固定手段の「押圧手段」は、軸部材に挿入され、この軸部材と可動部材の間に介在するバネであることが好ましい。
【実施例】
【００１３】
以下、図面を用いて実施例により本発明を具体的に説明する。
（１）杖の構造
本実施例に係る杖１は、図１及び図２に示すように、第１杖本体１１と、第２杖本体１２と、第３杖本体１３と、この第３杖本体１３の一端に固定される軸１４と、この軸１４に嵌合される可動部１６と、軸１４に挿入されるコイルバネ１７とからなる。
【００１４】
第１杖本体１１、第２杖本体１２、第３杖本体１３は、アルミニウム製のパイプであり、第２杖本体１２が第１杖本体１１に挿入され、第３杖本体１３が第２杖本体に挿入され、周知の機構により全体として伸縮自在となっている（特許文献１参照）。第１杖本体１１の一端にはグリップ２０が固定されている。
【００１５】
図３に示すように、軸１４は、ステンレス製の丸棒で、先端に円錐状の鋭利な接地部１４ａが形成されている。また、他端が第３杖本体１３に嵌合され、固定されている。軸１４の中央部分には穴１４ｂが形成され、その穴１４ｂにピン１５が嵌めこまれている。
【００１６】
可動部１６は、樹脂製で、円柱形状になっており、芯は軸１４に挿入されるため中空となっている。また、図４に示すように、可動部１６の中腹には２箇所、切り欠き１６ａが形成されている。この切り欠き１６ａには、軸方向に位置のずれた第１当節部１６ｂと第２当接部１６ｃとが形成されている。この２つの切り欠き１６ａの第1当接部１６ｂと第２当接部１６ｃはそれぞれ１８０度反対に２面形成されている。また、この可動部１６の外周には、ゴム製の筒状先端部３０が一体的に嵌装されている。
【００１７】
コイルバネ１７は、軸１４に挿入され、可動部１６の切り欠き１６ａの２つの当節部１６ｂ、１６ｃを軸１４のピン１５に押し付ける。
【００１８】
（２）杖の組み立て方
本実施例に係る杖１の組み立て方について説明する。第１杖本体１１と第２杖本体１２の組み立て方、第２杖本体１３と第３杖本体の組立て方、および、グリップ３０の第１杖本体１１への組み立て方は周知なので、ここでは省略する。
まず、軸１４の一端を第３杖本体１３に圧入する。そして、コイルバネ１７を軸１４に挿入し、それから可動部１６を当接部１６ｂ、１６ｃが本体側にくる向きで挿入する。そして、可動部１６を押してコイルばね１７を押さえつけ、ピン１５を２つの切り欠き１６ａの中にくるように、軸１４に設けられた穴に圧入する。この際、コイルばね１７は、常に可動部１６の２つの当接部１６ｂ、１６ｃがピン１５に十分な強さで押し付けられるような十分な弾性係数を持つ。
【００１９】
（３）杖の作用
以下に図５を参考にしながら本実施例の作用について説明する。
通常、杖１を使用しないときは、第１杖本体１１の中に第２杖本体１２がたたみ込まれ、第２杖本体１２の中に第３杖本体１３がたたみ込まれ、持ち運びが便利な長さになっている。通常の地面を歩行する際には、杖１は十分な長さに伸ばされ、可動部１６の切り欠き１６ａの第１当接部１６ｂがピン１５にコイルばね１7の弾性力によっておしつけられ、軸１４の接地部１４ａは可動部16、即ち筒状先端部３０の中に隠れる。この状態で杖1を使用すると地面にはゴム製の筒状先端部３０の下面があたり、杖1が滑ることなくスムーズに歩行できる。岩盤上や氷上を歩行する際には、筒状先端部３０を把持して、この筒状先端部３０と共に可動部16をコイルばね17の弾性力に抗して軸方向に押し付け、切り欠き１６ａの第２当接部１６ｃがピン１５に当接するように可動部の位置を変更する。こうすると、軸１４の接地部１４ａが筒状先端部３０の下面より突出される。この状態で杖１を使用すると岩盤あるいは氷には接地部１４ａの先端があたるため、やはり杖１が滑ることなくスムーズに歩行できる。また、再び通常の地面に使ったり、使用を止める際にはピン１５が第２当接部１６ｃから第１当接部１６ｂにあたるように切り換える。
【００２０】
（４）本実施例の効果
本実施例による杖１を使用すれば、通常の歩行の場合には鋭利な接地部１４ａがかくれているため、安全性にすぐれ、また、構造が簡単なので壊れにくく、しかも安価である。さらに、部品の脱着がないため、部品を紛失することがない。
【００２１】
なお、本発明は実施例に限らず、岩盤用の接地部は多種多様な形状を採用することができる。また、可動部は円柱形に限らず、例えば円錐台などやはりさまざまな形状を採用することができる。さらに、固定手段も本実施例に限らず、軸部材に雄ねじ、可動部材に雌ねじを設けて行うなど種々採用できる。
【産業上の利用可能性】
【００２２】
岩盤上や氷上の歩行の一助となり、しかも、通常の地面においても使用できるので、多目的な歩行補助具として産業上利用できる。
【図面の簡単な説明】
【００２３】
【図１】実施例に係る杖の斜視図である。
【図２】図１の一部を分解した斜視図である。
【図３】図２の要部分解斜視図である。
【図４】実施例に係る杖の可動部の斜視図である。
【図５】図２の要部正面図である。
【符号の説明】
【００２４】
１；杖、１１；第１杖本体、１２；第２杖本体、１３；第３杖本体、１４；軸、１４ａ；接地部、１５；ピン、１６；可動部、１６ａ；切り欠き、１６ｂ；第１当接部、１６ｃ；第２当接部、１７；コイルバネ、２０；グリップ。
【図１】
2005152458.tif 000003
【図２】
2005152458.tif 000004
【図３】
2005152458.tif 000005
【図４】
2005152458.tif 000006
【図５】
2005152458.tif 000007